(57)【要約】【課題】コストをかけることなく液滴を吐出する。【解決手段】主走査方向シフトレジスタ１０１は、データ転送クロックに同期して、主走査方向にデータを１ピクセルずつシフトする。第１のラッチ回路１０３は、ライン同期信号に同期して、主走査方向シフトレジスタ１０１から供給された１ライン分のピクセルデータをラッチして、副走査ライン毎にそれぞれ設けられた副走査方向シフトレジスタ１０５に対して、ラッチしたピクセルデータを供給する。各副走査方向シフトレジスタ１０５は、主走査方向シフトレジスタ１０１から各副走査方向の各ノズル位置までの距離に応じて、入力されたピクセルデータを遅延させてから出力するように構成されている。副走査方向シフトレジスタ１０５は、印字タイミングクロック及び副走査クロックに同期して、ピクセルデータを２ピクセルずつ副走査方向に転送して、圧電素子６０を駆動させる。【選択図】図６
2008155456.tif 000002
【特許請求の範囲】
【請求項１】
主走査方向及び副走査方向に配列された複数の圧電素子と、前記圧電素子にデータを供給するデータ供給回路とが同一基板上に形成され、
前記データ供給回路は、
１ライン分のデータを主走査方向に転送する主走査方向データ転送手段と、
副走査ライン毎に設けられ、前記主走査方向データ転送手段から出力されたデータを、副走査方向に所定ピクセルずつ転送する複数の副走査方向データ転送手段と、
前記副走査方向データ転送手段から出力されたデータに基づいて前記圧電素子を駆動する駆動回路と、を備え、
前記副走査方向データ転送手段は、基準位置から圧電素子までの副走査方向の距離に応じて、入力されたデータを遅延させて出力する
液滴吐出ヘッド。
【請求項２】
前記主走査方向遅延手段及び副走査方向遅延手段は、シフトレジスタである
請求項１に記載の液滴吐出ヘッド。
【請求項３】
データを選択するデータ選択手段を更に備え、
前記副走査方向遅延手段は、データを第１の時間及び第２の時間それぞれ遅延させて出力し、
前記データ選択手段は、印字解像度に基づいて、前記副走査方向遅延手段により第１の時間及び第２の時間遅延されたデータのいずれか一方を選択して前記駆動回路に供給する
請求項１または請求項２に記載の液滴吐出ヘッド。
【請求項４】
ヌルデータを生成するヌルデータ生成手段を更に備え、
前記副走査方向遅延手段は、間引き処理後の有効データと前記ヌルデータ生成手段により生成されたヌルデータとを、転送する
請求項１または請求項２に記載の液滴吐出ヘッド。
【請求項５】
請求項１から請求項４のいずれか１項に記載の液滴吐出ヘッドを備えた液滴吐出装置。
【発明の詳細な説明】
【技術分野】
【０００１】
本発明は、液滴吐出ヘッド及び液滴吐出装置に関する。
【背景技術】
【０００２】
現在、記録ヘッドに配列された複数の吐出口から液体のインク滴を吐出して記録媒体に印刷するインクジェット方式のプリンタが広く普及している。このようなインクジェット方式のプリンタにおいて、液滴を吐出する吐出口が２次元に配置された記録ヘッドを用いるプリンタも知られている。この記録ヘッドでは、吐出口が主走査方向に所定間隔おいて複数個配置されてなる複数の吐出ライン（以下では、画像の各ラインとの混同を回避するため、これを吐出群と呼称する。）が、主走査方向に少しずつずれた状態で副走査方向（用紙搬送方向）に配列されている。この複数の吐出群を用いて１ライン分の画像を印刷することができ、これにより、画像を解像度高く印刷することができる。
【０００３】
吐出口からの液滴の吐出のオン／オフあるいはオン時の液量の制御は、画像データ（ビットマップデータ）に基づいて行なわれる。しかし、記録ヘッドの吐出口が２次元に配列されている場合には、画像データを記憶した記憶手段から吐出口の位置に応じて使用する画像データを抽出し、並べ替えて用いる必要がある。
【０００４】
このとき、ビットマップデータから直接データの並べ替え処理が行われると、非連続なメモリアドレスへのアクセスとなる。このため、例えばＤＲＡＭを使用した場合、高速印字に対してアクセス速度が追従できない問題がある。すなわち、非連続な記憶領域へのアクセスは、ＤＲＡＭ等の記憶手段に対するアクセス回数の増加を生じさせ、アクセス速度が不足して高速印字に対応できなくなる場合がある。
【０００５】
そこで、画像データを複数個の分割データに分割してＦＩＦＯ型メモリに格納し、該ＦＩＦＯ型メモリから各データを順次取り出して記録ヘッドを駆動する駆動部に出力する画像記録装置が知られている（例えば、特許文献１参照。）。
【特許文献１】特開平９−１１４５５号公報
【発明の開示】
【発明が解決しようとする課題】
【０００６】
しかし、特許文献１の画像記録装置は、複数の異なる段数のＦＩＦＯ型メモリを用意する必要があり、実装部品数の増加や回路基板のサイズが大きくなってしまい、コストアップとなる問題がある。また、特許文献１の画像記録装置は、副走査方向の解像度変換に対応しにくい問題もある。
【０００７】
本発明は、上述した課題を解決するために提案されたものであり、コストをかけることなく液滴を吐出する液滴吐出ヘッド及び液滴吐出装置を提供することを目的とする。
【課題を解決するための手段】
【０００８】
請求項１の発明は、主走査方向及び副走査方向に配列された複数の圧電素子と、前記圧電素子にデータを供給するデータ供給回路とが同一基板上に形成、前記データ供給回路は、データを主走査方向に１ライン分のデータを主走査方向に転送する主走査方向データ転送手段と、副走査ライン毎に設けられ、前記主走査方向データ転送手段から出力されたデータを、副走査方向に所定ピクセルずつ転送する複数の副走査方向データ転送手段と、前記副走査方向データ転送手段から出力されたデータに基づいて前記圧電素子を駆動する駆動回路と、を備え、前記副走査方向データ転送手段は、基準位置から圧電素子までの副走査方向の距離に応じて、入力されたデータを遅延させて出力する。
【０００９】
請求項２の発明は、請求項１に記載の液滴吐出ヘッドであって、前記主走査方向遅延手段及び副走査方向遅延手段は、シフトレジスタである。
【００１０】
請求項３の発明は、請求項１または請求項２に記載の液滴吐出ヘッドであって、データを選択するデータ選択手段を更に備え、前記副走査方向遅延手段は、データを第１の時間及び第２の時間それぞれ遅延させて出力し、前記データ選択手段は、印字解像度に基づいて、前記副走査方向遅延手段により第１の時間及び第２の時間遅延されたデータのいずれか一方を選択して前記駆動回路に供給する。
【００１１】
請求項４の発明は、請求項１または請求項２に記載の液滴吐出ヘッドであって、ヌルデータを生成するヌルデータ生成手段を更に備え、前記副走査方向遅延手段は、間引き処理後の有効データと前記ヌルデータ生成手段により生成されたヌルデータとを、転送する。
【００１２】
請求項５の発明は、請求項１から請求項４のいずれか１項に記載の液滴吐出ヘッドを備えた液滴吐出装置である。
【発明の効果】
【００１３】
請求項１、２及び５に係る発明によれば、コストをかけることなく、簡易な構成で、液滴を吐出させることができる。
【００１４】
請求項３及び４に係る発明によれば、解像度変換を行う場合であっても、コストをかけることなく、簡易な構成で、液滴を吐出させることができる。
【発明を実施するための最良の形態】
【００１５】
以下、本発明の好ましい実施の形態について図面を参照しながら詳細に説明する。
【００１６】
［第１の実施形態］
以下、本発明の最良な実施の形態について、図面に示す実施例を基に詳細に説明する。なお、液滴吐出装置としてはインクジェット記録装置１０を例に採って説明する。したがって、液体はインクＮとし、液滴吐出ヘッドはインクジェット記録ヘッド３２として説明をする。そして、記録媒体は記録用紙Ｐとして説明をする。また、各図において、矢印ＵＰ、矢印ＤＯが示されている場合は、その矢印ＵＰで示す方向を上方向、矢印ＤＯで示す方向を下方向とする。
【００１７】
図１は、インクジェット記録装置１０の構成を示す図である。インクジェット記録装置１０は、記録用紙Ｐを送り出す用紙供給部１２と、記録用紙Ｐの姿勢を制御するレジ調整部１４と、インク滴を吐出して記録用紙Ｐに画像形成する記録ヘッド部１６及び記録ヘッド部１６のメンテナンスを行うメンテナンス部１８を有する記録部２０と、記録部２０で画像形成された記録用紙Ｐを排出する排出部２２と、を備えている。
【００１８】
用紙供給部１２は、記録用紙Ｐが収容される給紙部２４と、給紙部２４から１枚ずつ取り出してレジ調整部１４に搬送する搬送装置２６とから構成されている。レジ調整部１４は、ループ形成部２８と、記録用紙Ｐの姿勢を制御するガイド部材２９とを有しており、記録用紙Ｐは、この部分を通過することによって、そのコシを利用してスキューが矯正されるとともに、搬送タイミングが制御されて記録部２０に供給される。そして、排出部２２は、記録部２０で画像が形成された記録用紙Ｐを、排紙ベルト２３を介して排紙部２５に収納する。
【００１９】
記録ヘッド部１６とメンテナンス部１８の間には、記録用紙Ｐが搬送される用紙搬送路２７が構成されている（用紙搬送方向を矢印ＰＦで示す）。用紙搬送路２７は、スターホイール１７と搬送ロール１９とを有し、このスターホイール１７と搬送ロール１９とで記録用紙Ｐを挟持しつつ連続的に（停止することなく）搬送する。そして、この記録用紙Ｐに対して、記録ヘッド部１６からインク滴が吐出され、記録用紙Ｐに画像が形成される。メンテナンス部１８は、インクジェット記録ユニット３０に対して対向配置されるメンテナンス装置２１を有しており、インクジェット記録ヘッド３２に対するキャッピングやワイピング、更には、ダミージェットやバキューム等の処理を行う。
【００２０】
図２は、インクジェット記録ユニット３０を示す平面図である。各インクジェット記録ユニット３０は、矢印ＰＦで示す用紙搬送方向と交差（直交）する方向に配置された支持部材３４を備えており、この支持部材３４に複数のインクジェット記録ヘッド３２が取り付けられている。インクジェット記録ヘッド３２には、マトリックス状に複数のノズル３６が形成されており、記録用紙Ｐの幅方向には、インクジェット記録ユニット３０全体として一定のピッチでノズル３６が並設されている。
【００２１】
そして、用紙搬送路２７を連続的に搬送される記録用紙Ｐに対し、ノズル３６からインク滴を吐出することで、記録用紙Ｐ上に画像が記録される。なお、インクジェット記録ユニット３０は、例えば、いわゆるフルカラーの画像を記録するために、イエロー（Ｙ）、マゼンタ（Ｍ）、シアン（Ｃ）、ブラック（Ｋ）の各色に対応して、少なくとも４つ配置されている。
【００２２】
図３はインクジェット記録ヘッド３２の同一基板上の構成を模式的に示す概略平面図である。インクジェット記録ヘッド３２は、主走査方向にデータを転送する主走査方向シフトレジスタ１０１と、第１のラッチ回路１０３と、副走査方向にデータを転送する副走査方向シフトレジスタ１０５と、ピエゾ駆動回路５０と、２次元状に配列された圧電（ピエゾ）素子６０と、を備えている。ピエゾ駆動回路５０は、ラッチ回路５０ａ、レベルシフタ５０ｂ、ドライバ５０ｃを備えている。
【００２３】
図４はインクジェット記録ヘッド３２を部分的に取り出して主要部分が明確になるように示した概略断面図である。なお、図４ではインクジェット記録ヘッド３２を逆さまにした状態が示されており、ここでは、ノズル３６が形成される側を上側として説明する。
【００２４】
インクジェット記録ヘッド３２は、シリコン基板４０上に振動板７０、圧電素子６０、ピエゾ駆動回路５０等が設けられて構成されている。圧電素子６０の下面には一方の極性となる第２電極としての下部電極５８が配置され、圧電素子６０の上面には他方の極性となる第１電極としての上部電極６４が配置されている。
【００２５】
また、振動板７０は、Ｃｈｅｍｉｃａｌ  Ｖａｐｏｒ  Ｄｅｐｏｓｉｔｉｏｎ（ＣＶＤ）法で形成された第１の層としてのテトラエトキシシラン膜（以下「ＴＥＯＳ膜」という）５４と、第２の層としてのＬｏｃａｌ  Ｏｘｉｄａｔｉｏｎ  ｏｆ  Ｓｉｌｉｃｏｎ膜（以下「ＬＯＣＯＳ膜」という）４４と、で主に構成されており、少なくとも上下方向に弾性を有し、圧電素子６０に通電されると（電圧が印加されると）、上下方向に撓み変形する（変位する）構成になっている。
【００２６】
また、振動板７０の内部、即ちＴＥＯＳ膜５４とＬＯＣＯＳ膜４４の間には、第１の電気配線としての金属配線５２が設けられており、ピエゾ駆動回路５０の上方には、上部電極６４と接続する第３の電気配線としての金属配線７２が設けられている。そして、金属配線５２と下部電極５８、及び金属配線７２（上部電極６４）とピエゾ駆動回路５０とをそれぞれ電気接続するための電気接続用貫通口９４、９６が、振動板７０（ＴＥＯＳ膜５４）に形成されている。
【００２７】
この電気接続用貫通口９４内に、第２の電気配線として、融点が６００℃以上の高融点金属、例えばタングステン５６を充填することにより、金属配線５２と下部電極５８とが電気接続され、電気接続用貫通口９６内にも、タングステン６８を充填することにより、金属配線７２（上部電極６４）とピエゾ駆動回路５０とが電気接続されるようになっている。
【００２８】
また、シリコン基板４０の下面側には、耐インク性を有する材料で構成されたマニフォールド８６が接合されており、振動板７０との間に、所定の形状及び容積を有するインクプール室８０が形成されている。マニフォールド８６には、インクタンク（図示省略）と接続されるインク供給ポート（図示省略）が所定箇所に穿設されており、インク供給ポートから注入されたインクＮは、インクプール室８０に貯留される。なお、噴射による振動が他のノズル３６に影響を与えないように（クロストークを防止するために）、マニフォールド８６には、エアダンパー８４が設けられている。
【００２９】
また、インクプール室８０には、インクＮ中のゴミを排除するため、インクフィルター８８が設置されている。そして、圧電素子６０の上部には、インクプール室８０から供給されたインクＮが充填される圧力室８２が形成され、インクプール室８０と圧力室８２とはインク供給路９０（インク供給用貫通口９２）によって接続されている。したがって、振動板７０の振動によって圧力室８２の容積を増減させて圧力波を発生させることで、ノズル３６からインク滴が吐出される。
【００３０】
また、インクプール室８０と圧力室８２とが同一水平面上に存在しないように構成されている。これにより、圧力室８２を互いに接近させた状態で配置でき、ノズル３６をマトリックス状に高密度に配置できる構成である。その他、金属配線５２には、バンプ３８を介してフレキシブルプリント基板（以下「ＦＰＣ」という）１００が接続されている。
【００３１】
以上のように構成されたインクジェット記録装置１０のインクジェット記録ヘッド３２では、印字解像度とノズル位置は次のようになっている。
【００３２】
図５は、印字解像度とノズル位置との関係を示す図である。黒丸はノズル位置を示し、薄い黒丸は印字解像度（本実施形態では６００ｄｐｉ）に対してのノズル位置を示す仮想ドットである。印字解像度６００ｄｐｉに対して、主走査方向のノズル位置は１ピクセル毎に配置され、副走査方向のノズル位置は２ピクセル毎に配置されている。なお、主走査方向のノズル位置は他の主走査方向のノズル位置と重ならないように配置されている。
【００３３】
図６は、図３に示すインクジェット記録ヘッド３２の構成及び動作を説明するための図である。図７は、第１のラッチ回路１０３に入力されるライン同期信号、副走査方向ラッチ５０ａに入力される印字タイミングクロック、主走査方向シフトレジスタ１０１に入力される主走査クロック（主走査方向のデータ転送クロック）、副走査方向シフトレジスタ１０５に入力される副走査クロック（副走査方向のデータ転送クロック）のタイミングチャートである。ここでは、印字タイミングクロック及び副走査クロックは同じ信号であり、共に立ち下がったときに印字動作、シフト動作が行われる。
【００３４】
主走査方向シフトレジスタ１０１は、データ転送クロックに同期して、主走査方向にデータ（ピクセルデータ）を１ピクセルずつシフトして１ライン分のデータを転送する。主走査方向シフトレジスタ１０１は、１ラインの印字が終了するごとに、１ライン分のピクセルデータを第１のラッチ回路１０３に供給する。
【００３５】
第１のラッチ回路１０３は、ライン同期信号に同期して、主走査方向シフトレジスタ１０１から供給された１ライン分のピクセルデータをラッチして、副走査ライン毎にそれぞれ設けられた副走査方向シフトレジスタ１０５に対して、ラッチしたピクセルデータを供給する。これにより、隣り合う副走査方向シフトレジスタ１０５には、１ピクセルずつずれたピクセルデータ、すなわち副走査方向に対して１ピクセル時間ずつ遅延したピクセルデータが入力される。
【００３６】
副走査方向シフトレジスタ１０５は、印字タイミングクロックまたは副走査クロックに同期して、ピクセルデータを１ピクセルずつ副走査方向に転送する。
【００３７】
ここで、各副走査方向シフトレジスタ１０５は、主走査方向シフトレジスタ１０１から各副走査方向の各ノズル位置までの距離に応じて、入力されたピクセルデータを遅延させてから出力するように構成されている。すなわち、主走査方向シフトレジスタ１０１から各副走査方向の各ノズル位置までの距離が長くなるに従って、当該ノズル位置にある圧電素子の駆動データが遅延する。よって、主走査方向シフトレジスタ１０１から副走査方向において最も近いノズル位置にある圧電素子は、遅延ゼロのデータで駆動される。
【００３８】
そして、ラッチ回路５０ａは、副走査方向シフトレジスタ１０５から供給されたピクセルデータをラッチする。ラッチされたピクセルデータは、レベルシフト後、ドライバ５０ｃに供給される。ドライバ５０ｃは、ラッチ済みのピクセルデータに基づいて圧電素子６０を駆動させる。これにより、圧電素子６０が駆動され、液滴が吐出される。
【００３９】
以上のように、第１の実施形態に係るインクジェット記録装置１０は、主走査方向及び副走査方向に配列された各圧電素子６０に対して、主走査方向シフトレジスタ１０１から各圧電素子６０までの位置に応じた分の時間だけデータを遅延する複数の副走査方向シフトレジスタ１０５を介して、データを供給する。これにより、上記インクジェット記録装置１０は、大容量のメモリを設けることなく、簡易な構成で、各圧電素子６０にビットマップ画像のデータを入力して印字することができる。
【００４０】
なお、本実施形態では、副走査方向シフトレジスタ１０５はピクセルデータを２ピクセル分シフトするシフトレジスタを備えているが、本発明はこれに限定されるものではない。例えば、隣接するノズルの副走査方向の位置がＸピクセル分あるときは、それに応じて副走査方向シフトレジスタ１０５は、ピクセルデータをＸピクセル分のシフトレジスタを備えればよい。
【００４１】
［第２の実施形態］
つぎに、本発明の第２の実施形態について説明する。なお、第１の実施形態と異なる箇所について主に説明する。第２の実施形態に係るインクジェット記録装置１０は、解像度を６００ｄｐｉ又は１２００ｄｐｉに切り換えることができる。
【００４２】
図８は、インクジェット記録ヘッド３２の他の構成及び動作を説明するための図である。インクジェット記録ヘッド３２は、図６に示す構成に加えて、副走査ライン毎に設けられた選択スイッチ１０７を更に備えている。
【００４３】
第２の実施形態の副走査方向シフトレジスタ１０５は、主走査方向シフトレジスタ１０１からノズル位置までの距離に応じたＴ１時間ピクセルデータを遅延させて出力すると共に、Ｔ２（＝２×Ｔ１）時間ピクセルデータを遅延させて出力する。なお、副走査方向シフトレジスタ１０５は、低解像度モード時では、印字タイミングクロックの両エッジでピクセルデータをシフトする。
【００４４】
選択スイッチ１０７は、副走査方向シフトレジスタ１０５から供給されるＴ１時間遅延及びＴ２時間遅延のピクセルデータのうち、解像度変更切替信号よって指示されるピクセルデータを選択して、ラッチ回路５０ａに供給する。選択スイッチ１０７は、具体的には、印字解像度が６００ｄｐｉに切り替わるときは、Ｔ１時間遅延のピクセルデータを選択し、印字解像度が１２００ｄｐｉに切り替わるときは、Ｔ２時間遅延のピクセルデータを選択する。これにより、ピクセルデータは、解像度に応じた時間だけ遅延された後、圧電素子６０に供給される。
【００４５】
以上のように、第２の実施形態に係るインクジェット記録装置１０は、印字解像度に応じて副走査方向シフトレジスタ１０５におけるピクセルデータの遅延時間を変えることにより、解像度変換可能な場合であっても、大容量のメモリを設けることなく、簡易な構成で、各圧電素子６０にビットマップ画像のデータを入力して印字することができる。
【００４６】
［第３の実施形態］
つぎに、本発明の第３の実施形態について説明する。なお、上述した実施形態と異なる箇所について主に説明する。第３の実施形態に係るインクジェット記録装置１０は、印字解像度を高解像度又は低解像度に切り換えることができる。
【００４７】
図９は、インクジェット記録ヘッド３２の他の構成及び動作を説明するための図である。インクジェット記録ヘッド３２は、図６に示す構成に加えて、副走査ライン毎に、主走査方向シフトレジスタ１０１から出力されたピクセルデータとヌル（ＮＵＬＬ）データ生成信号とのアンド（ＡＮＤ）を出力するアンド回路１０８を備えている。
【００４８】
図１０は、（ａ）通常印字状態（高解像度モード）、（ｂ）低解像度モードにおけるヘッド駆動波形、ライン同期信号、印字タイミングクロック、主走査クロック、副走査クロック、ヌルデータ生成信号のタイミングチャートである。同図に示すように、印字タイミングクロックの周期（一印字周期）は、印字ヘッド駆動波形長と非印字データ転送クロック分以上の長さになっている。
【００４９】
通常印字状態（高解像度モード）では、ヌルデータ生成信号は“１”である。このため、各アンド回路１０８は、主走査方向シフトレジスタ１０１から出力されたピクセルデータをそのまま第１のラッチ回路１０３に供給する。第１のラッチ回路１０３に入力されたピクセルデータは、ラッチされた後、副走査方向シフトレジスタ１０５、ラッチ回路５０ａ等を介して、ドライバ５０ｃに供給される。これにより、圧電素子６０は、主走査方向シフトレジスタ１０１からノズル位置までの距離に応じた時間分遅延したデータに基づいて駆動する。
【００５０】
一方、低解像度モードでは、一印字ヘッド駆動波形の間に無効データが存在する。そこで、ヌルデータ生成信号が“０”になり、アンド回路１０８はヌルデータを生成する。そして、図１０（ｂ）に示すように、一印字ヘッド駆動波形の終了後にライン同期信号が立ち下がると（丸１のタイミング）、第１のラッチ回路１０３はヌルデータをラッチして、副走査方向シフトレジスタ１０５は１個のヌルデータを転送する。なお、ヌルデータの個数は、１個に限らず、解像度変換による間引き処理に応じて変更可能である。
【００５１】
したがって、副走査方向シフトレジスタ１０５は、必要なデータとヌルデータとを転送することにより、間引き処理されたビットマップデータを圧電素子６０に供給することができる。
【００５２】
以上のように、第３の実施形態に係るインクジェット記録装置１０は、主走査方向シフトレジスタ１０１から出力されたピクセルデータとヌルデータ生成信号とのアンドを出力するアンド回路１０８を備えている。これにより、インクジェット記録装置１０は、間引き処理により有効なデータが存在しないタイミングでヌルデータを生成することにより、大容量のメモリを用いることなく、簡易な構成で、各圧電素子６０に間引き処理後のビットマップ画像のデータを入力して印字することができる。
【００５３】
なお、本発明は、上述した実施の形態に限定されるものではなく、特許請求の範囲に記載された範囲内で設計上の変更をされたものにも適用可能であるのは勿論である。
【図面の簡単な説明】
【００５４】
【図１】インクジェット記録装置の構成を示す図である。
【図２】インクジェット記録ユニットを示す平面図である。
【図３】インクジェット記録ヘッドの構成を模式的に示す概略平面図である。
【図４】インクジェット記録ヘッドを部分的に取り出して主要部分が明確になるように示した概略断面図である。
【図５】印字解像度とノズル位置との関係を示す図である。
【図６】インクジェット記録ヘッドの構成及び動作を説明するための図である。
【図７】ライン同期信号、印字タイミングクロック、主走査クロック（主走査方向のデータ転送クロック）、副走査クロック（副走査方向のデータ転送クロック）のタイミングチャートである。
【図８】インクジェット記録ヘッドの他の構成及び動作を説明するための図である。
【図９】インクジェット記録ヘッドの他の構成及び動作を説明するための図である。
【図１０】（ａ）通常印字状態（高解像度モード）、（ｂ）低解像度モードにおけるヘッド駆動波形、ライン同期信号、印字タイミングクロック、主走査クロック、副走査クロック、ヌルデータ生成信号のタイミングチャートである。
【符号の説明】
【００５５】
１０  インクジェット記録装置
３２  インクジェット記録ヘッド
１０１  主走査方向シフトレジスタ
１０３  第１のラッチ回路
１０５  副走査方向シフトレジスタ
１０７  選択スイッチ
１０８  アンド回路
【図１】
2008155456.tif 000003
【図２】
2008155456.tif 000004
【図３】
2008155456.tif 000005
【図４】
2008155456.tif 000006
【図５】
2008155456.tif 000007
【図６】
2008155456.tif 000008
【図７】
2008155456.tif 000009
【図８】
2008155456.tif 000010
【図９】
2008155456.tif 000011
【図１０】
2008155456.tif 000012